(57)【要約】      （修正有）【課題】エアゾール式製品の定量バルブ機構の設定に際して既存のバルブ機構の構成要素をそのまま利用しながら、当該定量バルブ機構の定量室容積の自由度を確保する。【解決手段】ハウジング４の外部に上カバー体６および下カバー体７よりなる付加ユニットを取り付ける。付加ユニット内部の定量室容積は、仕切筒９を当該各カバー体の任意の下向き環凹状部６ｆ，上向き環凹状部７ｇに取り付けることで選択的に設定される。ステム２が下方に押圧されると、まずステム延長用部材３のシール作用面３ａが内容物流入口８を閉塞し、付加ユニットとハウジング４の内部からなる定量室が形成される。孔部２ｂがステムラバー１２より下方に移動すると、内部通路域２ａと定量室とが連通して定量室内容物が放出される。押圧操作を解除すると、当該連通状態が解除されて、内容物流入口８が開放されるので、容器本体の内容物が当該流入口より定量室空間域に流入する。【選択図】図１
2008308197.tif 000002
【特許請求の範囲】
【請求項１】
エアゾール容器のハウジングに取り付けられるハウジング側要素、当該ハウジング側要素に取り付けられた定量室入力側要素および、当該ハウジング側要素と当該定量室入力側要素との間に設定される付加定量室の容積を選択するための仕切り部材、からなる定量室追加用ユニットであって、
前記ハウジング側要素は、
前記ハウジングの内部空間域と連通し、かつ、内容物の定量噴射操作にともなうステムの移動を可能にするための開口部と、前記ハウジングとの第１の係合部と、前記定量室入力側要素との第２の係合部と、前記仕切り部材に対する第１の受け部と、を有し、
前記定量室入力側要素は、
前記ステムの移動により閉状態に設定される内容物流入部と、前記第２の係合部に対する被係合部と、前記仕切り部材に対する第２の受け部と、を有し、
前記仕切り部材は、
前記第１の受け部に対応した第１の被取付け部と、前記第２の受け部に対応した第２の被取付け部と、を有している、
ことを特徴とするエアゾール容器の定量室追加用ユニット。
【請求項２】
前記仕切り部材は筒状部であり、
前記第１の受け部および前記第２の受け部はそれぞれ同心円状に複数形成されたものである、
ことを特徴とする請求項１記載のエアゾール容器の定量室追加用ユニット。
【請求項３】
前記筒状部は、
一方の端部が前記第１の受け部に取り付けられて、他方の端部が当該受け部とは異なる径の前記第２の係合部に取り付けられる態様のものである、
ことを特徴とする請求項２記載のエアゾール容器の定量室追加用ユニット。
【請求項４】
請求項１乃至３のいずれかに記載の定量室追加用ユニットが前記ハウジングに取り付けられている、
ことを特徴とする定量バルブ機構。
【請求項５】
前記ステムは、
マウンティングキャップの開口部に対応した上側部が、噴射用通路を有する本体部分と、当該本体部分に取り外し可能な態様で設けられた外側部分と、からなるものであり、
前記本体部分は、
前記外側部分が取り外された状態で静止モード位置のまま横方向に押されて前記マウンティングキャップの開口部の範囲内で変位することにより、ステムガスケットとの間にガス流出路を形成する、
ことを特徴とする請求項４記載の定量バルブ機構。
【請求項６】
請求項４または５に記載の定量バルブ機構を備え、かつ、噴射剤および内容物を収容した、
ことを特徴とするエアゾール式製品。
【発明の詳細な説明】
【技術分野】
【０００１】
本発明は、エアゾール式製品に用いられる定量室追加用ユニットおよび、当該ユニットが取り付けられた定量バルブ機構などに関する。
【０００２】
特にエアゾール容器のハウジングの外側に定量室追加用の付加ユニットを設け、噴射操作ごとに容器外部空間に放出される内容物の量を規定する定量室として、ハウジングの内部空間域の外にこれと連通する当該付加ユニットの追加内部空間域を用いるに際し、当該追加内部空間域の容積を選択できるようにしたものである。
【０００３】
また、操作ボタンを作動モード位置に移動させると定量室の入口側が閉じられる、すなわち定量室にいたる容器内部空間域が操作ボタンの噴射孔から遮断されるといった構造に必然的になってしまう定量バルブ機構におけるガス抜き経路を、簡単な操作で設定できるようにしたものである。
【背景技術】
【０００４】
従来、エアゾール式製品の定量バルブ機構はエアゾール容器のハウジング内部に定量室用の空間域を設定している。
【０００５】
そして、このハウジングの内部空間域の一部（＝当該内部空間域の全体からステムなどの占有スペースを除いたエリア）からなる定量室に収容された内容物の全体を一回の操作ごとに、その一部が定量室底面部分などに残留することなどなしに、効率的に容器外部空間に放出できるように工夫したものなどがある（特許文献１参照）。
【特許文献１】特開２００２−２６３５３１号公報
【発明の開示】
【発明が解決しようとする課題】
【０００６】
このようにエアゾール式製品の内容物放出用の定量室としてハウジングの内部空間域のみを用いる手法では、一回の操作で放出される内容物の量が必然的に当該ハウジングのいわば内部容量によって制約されることになる。
【０００７】
またハウジングの形状や大きさの設定に際しては、当該ハウジングの保持部材であるマウンティングキャップや当該ハウジング内部を移動するステムなどとの兼ね合いを考慮しなければならず、定量室の大きさを優先させたハウジングを設計することも難しい。
【０００８】
そのため従来のハウジング内部空間域のみからなる定量室を備えた定量バルブ機構は、エアゾール式製品の用途や容器内容物(放出対象内容物）の種類などの違いに応じた定量室容量を確保するという点において、改善の余地を残したものであった。
【０００９】
そこで本発明では、エアゾール容器のハウジングの外側に定量室形成用の付加ユニットを取り付けてこの付加ユニットの内部空間域がハウジング内部の定量室空間域に追加され、かつ、付加ユニット中の追加定量室部分が仕切り部材で選択されるようにして、定量バルブ機構の定量室の容量設定における自由度を積極的に担保し、これにより各種のエアゾール式製品に合致した定量内容物の放出動作の実現化，確実化を一段と図ることを目的とする。
【００１０】
また、必然的に、操作ボタンを作動モード位置に移動させると定量室の入口側が閉じられて容器内部空間域が操作ボタンの噴射孔から遮断される形になってしまう、定量バルブ機構におけるガス抜き動作を、簡単な操作で確実に行えることを目的とする。
【課題を解決するための手段】
【００１１】
本発明は、以上の課題を次のようにして解決する。
（１）エアゾール容器のハウジング（例えば後述のハウジング４）に取り付けられるハウジング側要素（例えば後述の上カバー体６）、当該ハウジング側要素に取り付けられた定量室入力側要素（例えば後述の下カバー体７）および、当該ハウジング側要素と当該定量室入力側要素との間に設定される付加定量室の容積を選択するための仕切り部材（例えば後述の仕切筒９，１０）、からなる定量室追加用ユニットとして、
前記ハウジング側要素は、
前記ハウジングの内部空間域と連通し、かつ内容物の定量噴射操作にともなうステム（例えば後述のステム２，ステム延長用部材３）の移動を可能にするための開口部と、前記ハウジングとの第１の係合部（例えば後述の係合用の凹状部６ｂ）と、前記定量室入力側要素との第２の係合部（例えば後述の係合用の凸状部６ｄ）と、前記仕切り部材に対する第１の受け部（例えば後述の下向き環凹状部６ｆ）と、を有し、
前記定量室入力側要素は、
前記ステムの移動により閉状態に設定される内容物流入部（例えば後述の被シール部分７ｂ）と、前記第２の係合部に対する被係合部（例えば後述の係合用の凹状部７ｄ）と、前記仕切り部材に対する第２の受け部（例えば後述の上向き環凹状部７ｇ）と、を有し、
前記仕切り部材は、
前記第１の受け部に対応した第１の被取付け部（例えば後述の第１の環状細幅部９ｂ，第３の環状細幅部１０ｃ）と、前記第２の受け部に対応した第２の被取付け部（例えば後述の第２の環状細幅部９ｄ，第４の環状細幅部１０ｆ）と、を有している、
ものを用いる。
（２）上記（１）において、
前記仕切り部材は筒状部であり、
前記第１の受け部および前記第２の受け部はそれぞれ同心円状に複数形成されたものである、
ものを用いる。
（３）上記（２）において、
前記筒状部は、
一方の端部（例えば後述の第３の環状細幅部１０ｃ）が前記第１の受け部に取り付けられて、他方の端部（例えば後述の第４の環状細幅部１０ｆ）が当該第１の受け部とは異なる径の前記第２の係合部に取り付けられる態様のものである、
ものを用いる。
（４）上記（１）〜（３）に記載の定量室追加用ユニットが前記ハウジングに取り付けられた定量バルブ機構を用いる。
（５）上記（４）において、
前記ステムは、
マウンティングキャップ（例えば後述のマウンティングキャップ１１）の開口部に対応した上側部が、噴射用通路を有する本体部分（例えば後述の内筒状部２ｄ）と、当該本体部分に取り外し可能な態様で設けられた外側部分（例えば後述の外筒状部２ｅ）と、からなるものであり、
前記本体部分は、
前記外側部分が取り外された状態で静止モード位置のまま横方向に押されて前記マウンティングキャップの開口部の範囲内で変位することにより、ステムガスケット（例えば後述のステムガスケット１２）との間にガス流出路を形成する、
定量バルブ機構を用いる。
【００１２】
以上の構成からなる定量室追加用ユニットや定量バルブ機構および、この定量バルブ機構を備えたエアゾール式製品を本発明の対象としている。
【発明の効果】
【００１３】
本発明は、このようにエアゾール容器のハウジングの外側に定量室追加用の付加ユニットが取り付けられ、かつ、この付加ユニット中の追加定量室部分を仕切り部材でいわば選択的に設定できる態様にすることにより、定量バルブ機構の定量室全体の容積設定に際しての自由度が確保されるようにしている。
【００１４】
そのため、各種のエアゾール式製品に合致した量の内容物放出動作の実現化，確実化を図ることができる。
【００１５】
また、あくまでハウジングへの外付けという構成をとっているため、当該ハウジングや、その中のステムおよびその取付け相手であるマウンティングキャップなどの構成要素は既存のものを用いればよく、定量バルブ機構を作成する上での各構成部品の有効利用化，コストダウン化を図ることができる。
【００１６】
さらには、ステムの上側部分を内筒状部とその外筒状部とで構成し、当該外筒状部が取り外された状態でステムをマウンティングキャップの開口部の中で横方向に移動させることによりステム外側から当該開口部を経て外部空間にいたガス抜き経路を設定しているので、操作ボタンを作動モード位置に移動させると定量室の入口側が閉じられて容器内部空間域と噴射孔との間が遮断されてしまう定量バルブ機構におけるガス抜きを、簡単な操作で確実に行うことができる。
【発明を実施するための最良の形態】
【００１７】
図１〜図３を用いて本発明を実施するための最良の形態を説明する。
【００１８】
ここで、
図１は液化ガスの噴射剤を用いるエアゾール式製品の定量バルブ機構であり、(a)は定量噴射モード、(b)は静止モードをそれぞれ示し、
図２は図１の付加ユニット中の追加定量室部分設定用の仕切り部材であり、(a)は単一筒状部タイプ、(b)は二重筒状部タイプをそれぞれ示し、
図３は図１の定量バルブ機構におけるガス抜きモードを示している。
【００１９】
なお、以下のアルファベット付き参照番号の構成要素（例えば通路部分１ａ）は原則として、当該参照番号の数字部分の構成要素（例えば操作ボタン１）の一部であることを示している。
【００２０】
図１〜図３において、
１は利用者の押圧操作に基づき上下動するタイプの操作ボタン，
１ａは内容物や噴射剤の通路部分，
１ｂは当該通路部分に続く噴射孔，
２は操作ボタン１と嵌合して上下方向に連動するステム，
２ａは内容物や噴射剤の内部通路域，
２ｂは当該内部通路域と後述のハウジング４の定量室形成用の内部空間域とを連通させる孔部，
２ｃは当該孔部より下方の外周面に形成されて後述のコイルスプリング５を受ける環状段部（天井面部分），
２ｄは孔部２ｂよりも上側の内筒状部，
２ｅは当該内筒状部の外周面部分に取り外し可能な形で係合するとともに操作ボタン１と強く嵌合している外筒状部，
３はステム２の下端面部分と係合（嵌合）したスティック状のステム延長用部材，
３ａは後述の内容物流入口８に対する閉塞機能を備えたシール作用面（下端側外周面），
３ｂは当該シール作用面の上方外周面に形成された下側環状段部，
４はステム２を上下動可能な形で収容する筒状のハウジング，
４ａは大径の上側筒状部，
４ｂは小径の下側筒状部，
４ｃは当該上側筒状部と当該下側筒状部との境界ともいえる内周面側の環状段部，
４ｄは当該下側筒状部の外周面の周方向に連続してまたは間歇的に形成された係合用の凸状部，
５はステム２の環状段部２ｃとハウジング４の環状段部４ｃとの間に配設されて当該ステムを上方向に付勢するコイルスプリング，
６はハウジング４に嵌合して付加ユニット（定量室追加用ユニット）を構成する上カバー体，
６ａは中央上筒状部，
６ｂは当該中央上筒状部（上側部分）の外方にある環状起立部の内周面周方向に、連続してまたは間歇的に形成された係合用の凹状部（ハウジング４の凸状部４ｄに対応），
６ｃは当該中央上筒状部の外方に形成された環状垂下部，
６ｄは当該環状垂下部の下側外周面の周方向に連続してまたは間歇的に形成された係合用の凸状部，
６ｅは当該上カバー体の天井面部分に当該中央上筒状部を中心とする同心円状に形成された複数の下向き環凸状部，
６ｆは隣同士の当該下向き環凸状部の間に生成される複数の下向き環凹状部， 
７は上カバー体６に嵌合して付加ユニット（定量室追加用ユニット）を構成する下カバー体，
７ａは中央下筒状部，
７ｂは当該中央下筒状部の内周面に形成された環状の被シール部分，
７ｃは当該中央下筒状部の外方に形成された環鞘状部，
７ｄは当該環鞘状部の外側内周面の周方向に連続してまたは間歇的に形成された係合用の凹状部（上カバー体６の凸状部６ｄに対応），
７ｅは当該中央下筒状部の上面内端側に形成された環状段部，
７ｆは当該下カバー体の底面部分に当該中央下筒状部を中心として下向き環凸状部６ｅのそれぞれと同一径からなる同心円状に形成された複数の上向き環凸状部，
７ｇは隣同士の当該上向き環凸状部の間に生成される複数の上向き環凹状部，
８は静止モードのときステム延長用部材３の下端側外周面と下カバー体７（シール作用部分７ｂ）の内周面との間に形成される内容物流入口（環状空間域），
９は一つの下向き環凹状部６ｆとこれの真下の上向き環凹状部７ｇとに係合して付加定量室の空間域を特定（選択）するための単一筒状部タイプの仕切筒、
９ａは当該仕切筒の一方の端部側内周面に形成された第１の環状段部，
９ｂは当該環状段部に対応する（下向き環凹状部６ｆまたは上向き環凹状部７ｇとの係合用の）第１の環状細幅部，
９ｃは当該仕切筒の他方の端部側内周面に形成された第２の環状段部，
９ｄは当該環状段部に対応する（上向き環凹状部７ｇまたは下向き環凹状部６ｆとの係合用の）係合用の第２の環状細幅部，
１０は一つの下向き環凹状部６ｆと、これとは径方向にずれた位置にある一つの上向き環凹状部７ｇとに係合して、付加定量室の空間域を特定（選択）するための二重筒状部タイプの仕切筒，
１０ａは小径筒状部，
１０ｂは当該小径筒状部の端部側内周面に形成された第３の環状段部，
１０ｃは当該環状段部に対応する（下向き環凹状部６ｆまたは上向き環凹状部７ｇとの）係合用の第３の環状細幅部，
１０ｄは大径筒状部，
１０ｅは当該大径筒状部の端部側内周面に形成された第４の環状段部，
１０ｆは当該環状段部に対応する（上向き環凹状部７ｇまたは下向き環凹状部６ｆとの係合用の）係合用の第４の環状細幅部，
１１は周知のエアゾール容器本体（図示省略）の開口端部側に取り付けられたマウンティングキャップ，
１２はハウジング４の上側開口部分とマウンティングキャップ１１の開口部側天井面との間に設けられて当該ハウジングの内部空間域のシール作用を呈するステムガスケット，
１３は下カバー体７の中央下筒状部７ａに取り付けられた内容物流入用のチューブ，
１４はステム２の外筒状部２ｅが取り外された後の内筒状部２ｄとマウンティングキャップ１１（開口部）との間のクリアランス（隙間）に差し込み、当該内筒状部を横倒ししてガス抜きモードに保持するための棒状，筒状の治具，
Ａは容器本体から定量室への内容物の概略的な流れ方向，
Ｂは定量室から容器外部空間への内容物の概略的な流れ方向，
Ｃはガス抜きモードにおける残留ガスの概略的な流れ方向
をそれぞれ示している。
【００２１】
ここで、操作ボタン１，ステム２，ステム延長用部材３，ハウジング４，上カバー体６，下カバー体７，単一筒状部タイプの仕切筒９，二重筒状部タイプの仕切筒１０，チューブ１３および治具１４などはポリプロピレン，ポリエチレン，ポリアセタール，ナイロン，ポリブチレンテレフタレートなどからなるプラスチック製のものである。
【００２２】
また、マウンティングキャップ１１は金属製のものであり、ステムガスケット１２はプラスチック製やゴム製のものである。
【００２３】
図示の定量バルブ機構（定量室追加用の付加ユニット）の基本的特徴は、ステム２を保持して定量室用空間域を形成するハウジング４の外側に取り付けられる定量室追加用ユニットの内部が、仕切筒９，１０（図２参照）で選択的に区分けされる態様にしたことである。
【００２４】
これにより当該付加ユニット中の定量室容量は、定量バルブ機構の組立段階などで、エアゾール式製品の用途や容器内容物(放出対象内容物）の種類などの違いに応じた形に適宜設定（選択）されえる。
【００２５】
図１，図２(a)の仕切筒９は、
(11)第１の環状細幅部９ｂおよび第２の環状細幅部９ｄがそれぞれ、上カバー体６の下向き環凹状部６ｆおよび、これと同一径で真下に位置する下カバー体７の上向き環凹状部７ｇに係合し、
(12)第１の環状段部９ａが、これと同一径で真下に位置する上カバー体６の下向き環凸状部６ｅの下端面部分に当接し、
(13)当該仕切筒の内周面と上カバー体６の中央上筒状部６ａとの間の空間域などを付加定量室に設定している。
【００２６】
図２(b)の仕切筒１０の場合は、第３の環状細幅部１０ｃが係合する上カバー体６の下向き環凹状部６ｆの位置と、第４の環状細幅部１０ｆが係合する下カバー体７の上向き環凹状部７ｇの位置とが、仕切筒９のような真下・真上の関係ではない。
【００２７】
すなわち、第３の環状細幅部１０ｃの上カバー体係合位置と第４の環状細幅部１０ｆの下カバー体係合位置とがこれらカバー体の径方向にずれている。
【００２８】
このずれにより、付加定量室の容量を、単一筒状部タイプの仕切筒９では実現できない大きさに設定することができる。
【００２９】
換言すれば、隣同士の下向き環凹状部６ｆの間および隣同士の上向き環凹状部７ｇの間の各特定部分（中間部分など）に仮想の下向き環凹状部および上向き環凹状部を真下・真上の関係で形成して、ここに仕切筒９を取り付けた場合と等価な付加定量室容量を実現できる。
【００３０】
この等価な付加定量室容量の大きさは、仕切筒１０の小径筒状部１０ａの高さと大径筒状部１０ｄのそれとの比や、上述の環状細幅部１０ｃの上カバー体係合位置と環状細幅部１０ｆの下カバー体係合位置との径方向のずれの程度を、パラメータにする形で特定される。
【００３１】
例えば仕切筒１０の小径筒状部１０ａおよび大径筒状部１０ｄそれぞれの高さが同じであって、当該小径筒状部と当該大径筒状部との上述の径方向のずれが下向き環凹状部６ｆ（または上向き環凹状部７ｇ）の一つ分に相当する場合の付加定量室容量は、仕切筒１０が取り付けられている下向き環凹状部と上向き環凹状部との径方向における仮想的な中間部分に単一筒状部タイプの仕切筒９を設けたときの、容量と等価になる。
【００３２】
図１の定量バルブ機構は液化ガスの噴射剤を用いるタイプのものである。
【００３３】
その静止モード(b)におけるステム２はコイルスプリング５の作用によってステムガスケット１２と密接した被シール状態にあり、内容物流入口８は開状態になっている。
【００３４】
そのため容器本体の内容物は、噴射剤（液化ガス）の作用によりチューブ１３を介した概略Ａ方向の流れで付加ユニットの内部空間域（＝上カバー体６，下カバー体７およびステム延長用部材３によって画定されるエリア）とハウジング４の内部空間域とからなる定量室に流入して、そこに収容される。
【００３５】
そして操作ボタン１が押圧されると、ステム２およびステム延長用部材３がコイルスプリング５の弾性力に抗しながら下動して定量噴射モード(a)に移行する。
【００３６】
すなわちステム延長用部材３（ステム２）の下動にともない、そのシール作用面３ａが下カバー体７の被シール部分７ｂに密接して内容物流入口８を閉じ、かつ、それまでのステム２とステムガスケット１２とのシール状態が解除される。
【００３７】
その結果、ハウジング４の内部空間域がステム２の孔部２ｂ，内部通路域２ａおよび操作ボタン１の通路部分１ａ，噴射孔１ｂを介して容器外部空間と連通する。
【００３８】
そしてハウジング４の内部空間域の上流側である付加ユニットの定量室空間域（内部空間域）も勿論、当該ハウジング内部空間域を介して容器外部空間と連通する。
【００３９】
この連通により、静止モードの定量室に入っていた所定量の内容物はそれといわば混在している液化ガスの作用により概略Ｂ方向の流れで噴射孔１ｂから外部に噴射される。
【００４０】
ここで上カバー体６の中央上筒状部６ａはその下端部分が下カバー体７の定量室底面の近傍まで延びる形で設定されているため、当該中央上筒状部とその外方の環状垂下部５ｃとの間の追加内部空間域（＝定量室の主要空間域）の上側部分に収容されていた内容物は、必然的にいったん下降して中央上筒状部６ａの下端部分と下カバー体７の上面（定量室底面）との隙間部分を通ってから当該中央上筒状部の内側域を上昇していくことになる。
【００４１】
そのため、一般にはステム２の孔部２ｂから遠くて内容物が容器外部空間に放出されずに残留したままとなりやすい上記定量室底面部分においても、そこの保持内容物は、この「下降−上昇」の流れにいわば引きずられる形で確実に噴射される。
【００４２】
なお、操作ボタン１の押圧操作の終了にともないステム２がコイルスプリング５の弾性力によって(b)の静止モード位置に復帰することは勿論である。
【００４３】
図３は、図１の定量バルブ機構を用いたエアゾール式製品のガス抜きモードを示している。
【００４４】
この定量バルブ機構におけるガス抜き動作の基本的な特徴は、通常は単一部材からなるステム２の上側部分（マウンティングキャップ１１とのクリアランスが生じる範囲を含む上側部分）が、噴射対象の内容物などの内部通路域部分を備えた内筒状部２ｄと、これに取り外し可能な形で取り付けられた外筒状部２ｅと、から構成されていることである。
【００４５】
そしてこの構成により、
(21)ガス抜きモードに設定されていない状態（静止モードや定量噴射モード）では内筒状部２ｄおよびこれと一体の外筒状部２ｅにより通常のステム形態（図１参照）をとり、
(22)ガス抜きモードへの移行に際しては、先ず操作ボタン１およびこれと強めに嵌合している外筒状部２ｅの一体物を内筒状部２ｄから図示上方にいわば引き抜くことにより、外筒状部が捨象されてマウンティングキャップ１１の中央開口縁部とのクリアランス（隙間部分）が大きくなったガス抜き準備モードのステム形態（図示省略）とし、
(23)次に、このクリアランス部分に治具１４を差し込んで内筒状部２ｄの部分をマウンティングキャップ１１の中央開口部の中で横倒しにし、この状態を保持している。
【００４６】
また、この横倒し状態では、ステム２（ステム延長用部材３）の上下方向位置は静止モードのそれと同じであり、上記定量室の入力弁（流入弁）として作動するステム延長用部材３のシール作用面３ａと下カバー体７の被シール部分７ｂとは離間している。すなわち定量室入口側の開口域８は閉塞されずに開放されている。
【００４７】
そのため容器本体内部の残留ガスなどは、矢印Ｃで示されるように「チューブ１３−開口域８−ステム延長用部材３の外周面と中央上筒状部６ａ（上カバー体６）の内周面との間の環状域−ハウジング４の内部空間−横倒し状態の内筒状部２ｄ（ステム２）とステムガスケット１２との間に形成されるガス流出路」の流れによって、外部空間に放出される。ここで筒状の治具１４を用いる場合、残留ガスはこの治具内部空間も通過する。
【００４８】
中央上筒状部６ａと仕切筒９との間の付加定量室部分の残留ガスも勿論「ステム延長用部材３の外周面と中央上筒状部６ａ（上カバー体６）の内周面との間の環状域−ハウジング４の内部空間−横倒し状態の内筒状部２ｄ（ステム２）とステムガスケット１２との間に形成されるガス流出路」の流れによって、外部空間に放出される。
【００４９】
本発明が以上の実施形態に限定されないこと勿論であり、例えば、
(31)ステム延長用部材３の下側環状段部３ｂと下カバー体７の環状段部７ｅとの間に当該延長用部材を図示上方向に付勢してステム２と一体化させるためのコイルスプリングを設ける（この場合、ステム２とステム延長用部材３との積極的な嵌合用の凹凸状部は省略してもよい）、
(32)ステム２とステム延長用部材３とを一体化する、
(33)仕切筒９を、その上下方向の中間筒状部（第１の環状細幅部９ｂと第２の環状細幅部９ｄとの間）の断面形状が外方向または内方向に膨らんだ形のものにする、
(34)仕切筒１０を図示とは上下（天地）逆にした状態で使用する、
(35)仕切筒１０の筒状部を、その径が図示上下方向の全体で連続して変化し、または当該方向の一部で連続して変化する形にする、
ようにしてもよい。
【００５０】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５１】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５６】
高分子化合物としては、メチルセルロース，ゼラチン，デンプン，カゼイン，ヒドロキシエチルセルロース，キサンタンガム，カルボキシビニルポリマーなどを用いる。
【００５７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５８】
さらに、上記内容物以外の、懸濁剤，紫外線吸収剤，乳化剤，保湿剤，酸化防止剤、金属イオン封鎖剤なども用いることができる。
【００５９】
エアゾール式製品における内容物噴射用ガスとしては、液化石油ガス，ジメチルエーテル，フロロカーボンなどの液化ガスを用いる。
【図面の簡単な説明】
【００６０】
【図１】液化ガスの噴射剤を用いるエアゾール式製品の定量バルブ機構であり、(a)は定量噴射モード、(b)は静止モードをそれぞれ示している。
【図２】図１の付加ユニット中の追加定量室部分設定用の仕切り部材であり、(a)は単一筒状部タイプ、(b)は二重筒状部タイプをそれぞれ示している。
【図３】図１の定量バルブ機構におけるガス抜きモードを示している。
【符号の説明】
【００６１】
１：操作ボタン
１ａ：通路部分
１ｂ：噴射孔
２：ステム
２ａ：内部通路域
２ｂ：孔部
２ｃ：環状段部（天井面部分）
２ｄ：内筒状部
２ｅ：外筒状部
３：ステム延長用部材
３ａ：シール作用面（下端側外周面）
３ｂ：下側環状段部
４：ハウジング
４ａ：上側筒状部
４ｂ：下側筒状部
４ｃ：環状段部
４ｄ：係合用凸状部
５：コイルスプリング
６：上カバー体
６ａ：中央上筒状部
６ｂ：係合用凹状部（ハウジング４の凸状部４ｄに対応）
６ｃ：環状垂下部
６ｄ：係合用凸状部，
６ｅ：複数の下向き環凸状部
６ｆ：複数の下向き環凹状部
７：下カバー体
７ａ：中央下筒状部
７ｂ：環状の被シール部分
７ｃ：環鞘状部
７ｄ：係合用凹状部（上カバー体６の凸状部６ｄに対応）
７ｅ：環状段部
７ｆ：複数の上向き環凸状部
７ｇ：複数の上向き環凹状部
８：内容物流入口（環状空間域）
９：単一筒状部タイプの仕切筒
９ａ：第１の環状段部
９ｂ：第１の環状細幅部
９ｃ：第２の環状段部
９ｄ：第２の環状細幅部
１０：二重筒状部タイプの仕切筒
１０ａ：小径筒状部，
１０ｂ：第３の環状段部
１０ｃ：第３の環状細幅部
１０ｄ：大径筒状部
１０ｅ：第４の環状段部
１０ｆ：第４の環状細幅部
１１：マウンティングキャップ
１２：ステムガスケット
１３：チューブ
１４：治具
Ａ：容器本体から定量室への内容物の概略的な流れ方向
Ｂ：定量室から容器外部空間への内容物の概略的な流れ方向
Ｃ：ガス抜きモードにおける残留ガスの概略的な流れ方向
【図１】
2008308197.tif 000003
【図２】
2008308197.tif 000004
【図３】
2008308197.tif 000005